(57)【要約】      （修正有）【課題】ソーシャル・ネットワーキング・サービスに参加するユーザーにより広告を効率的に行うことができるソーシャル・ネットワーキング・サービス用広告システムを提供する。【解決手段】コンピュータを用いて、ソーシャル・ネットワーキング・サービスに係るＳＮＳ表示データをユーザーの端末装置に提供する広告システムにおいて、前記コンピュータが、前記ＳＮＳ表示データ、広告データ、およびＳＮＳ表示データの各ユーザー自身のページに表示する広告データの対応付けを示す貼付け広告情報を記憶する記憶手段と、ユーザーの端末装置から前記貼付け広告情報の登録の依頼を受け付け、前記貼付け広告情報を更新する貼付け広告情報更新手段と、ユーザーの端末装置からアクセスしてきたときに、前記記憶手段から読み出して前記ＳＮＳ表示データとともに、前記貼付け広告情報を該ユーザーの端末装置に対して配信する広告データ配信手段とを備えた。【選択図】図１
2008158924.tif 000002
【特許請求の範囲】
【請求項１】
コンピュータを用いて、ソーシャル・ネットワーキング・サービスに係るＳＮＳ表示データをユーザーの端末装置に提供するソーシャル・ネットワーキング・サービス用の広告システムにおいて、
前記コンピュータが、
前記ＳＮＳ表示データ、広告データ、およびＳＮＳ表示データの各ユーザー自身のページに表示する広告データがどの広告データかの対応付けを示す貼付け広告情報を記憶する記憶手段と、
ユーザーの端末装置からの、前記貼付け広告情報の登録の依頼を受け付け、該ユーザー自身のページについての前記記憶手段の前記貼付け広告情報を更新する貼付け広告情報更新手段と、
ユーザーの端末装置から該コンピュータにアクセスしてきたときに、前記記憶手段から読み出して、前記ＳＮＳ表示データとともに、該ＳＮＳ表示データに対して前記貼付け広告情報を、該ユーザーの端末装置に対して配信する広告データ配信手段と
を備えたことを特徴とするソーシャル・ネットワーキング・サービス用の広告システム。
【請求項２】
前記貼付け広告情報が、前記ＳＮＳ表示データの各ユーザー自身のページについての前記貼付け広告情報が、該ユーザーを特定するＩＤを含むことを特徴とする請求項１に記載のソーシャル・ネットワーキング・サービス用の広告システム。
【請求項３】
前記広告データ配信手段による配信を受けたユーザーの端末装置にて、該配信された前記貼付け広告情報内の広告が選択されたとき、該貼付け広告情報内の前記ＩＤで特定されるユーザに対して広告料を支払うように広告料を算出する広告料算出手段をさらに備えたことを特徴とする請求項１に記載のソーシャル・ネットワーキング・サービス用の広告システム。
【発明の詳細な説明】
【技術分野】
【０００１】
本発明はソーシャル・ネットワーキング・サービス用広告システムに関し、詳しくは、ソーシャル・ネットワーキング・サービスにおいて、広告主に依頼された広告を各ユーザーが行うソーシャル・ネットワーキング・サービス用広告システムに関する。
【背景技術】
【０００２】
最近では、特許文献１に記載のようなソーシャル・ネットワーキング・サービスと呼ばれるサービスが提供され、大変多くの人に利用されている。
【０００３】
ソーシャル・ネットワーキング・サービスとは、何らかの繋がりのある人どうしが仲間を形成し、その仲間どうしだけでネットワーク上で会話をする環境を提供するものである。
【０００４】
このネットワーク上での会話は、たとえば、ユーザーがパソコン等によって文字入力するとともに他のユーザーが入力した文字を画面に表示して閲覧するような形で行われる。
【０００５】
ソーシャル・ネットワーキング・サービスを提供する運営会社において、その運営資金を得るための手段のひとつとして、ユーザーが閲覧する画面に広告を表示し、その広告主から広告料を得ることが行われていた。
【０００６】
【非特許文献１】ソーシャル・ネットワーキング  サービス［mixi（ミクシィ）］、［online］、株式会社ミクシィ、［平成１８年１１月６日検索］、インターネット＜URL：http://mixi.jp/home.pl＞
【発明の開示】
【発明が解決しようとする課題】
【０００７】
ところが、特許文献１に記載のような従来のソーシャル・ネットワーキング・サービスでは、ユーザーが閲覧する画面に広告を表示するのみであり、たとえば効率的に広告配信することは不可能であった。
【０００８】
また出願人は、効率的に広告配信するためには、ソーシャル・ネットワーキング・サービスの運営会社が広告を行うだけよりも、ソーシャル・ネットワーキング・サービスに参加するユーザーが広告を行うことの重要性に気付いた。
【０００９】
本発明は上記の点にかんがみてなされたもので、ソーシャル・ネットワーキング・サービスにおいて、ソーシャル・ネットワーキング・サービスに参加するユーザーによって広告を効率的に行うことができるソーシャル・ネットワーキング・サービス用広告システムを提供することを目的とする。
【課題を解決するための手段】
【００１０】
本発明は上記の目的を達成するために、コンピュータを用いて、ソーシャル・ネットワーキング・サービスに係るＳＮＳ表示データをユーザーの端末装置に提供するソーシャル・ネットワーキング・サービス用の広告システムにおいて、前記コンピュータが、前記ＳＮＳ表示データ、広告データ、およびＳＮＳ表示データの各ユーザー自身のページに表示する広告データがどの広告データかの対応付けを示す貼付け広告情報を記憶する記憶手段と、ユーザーの端末装置からの、前記貼付け広告情報の登録の依頼を受け付け、該ユーザー自身のページについての前記記憶手段の前記貼付け広告情報を更新する貼付け広告情報更新手段と、ユーザーの端末装置から該コンピュータにアクセスしてきたときに、前記記憶手段から読み出して、前記ＳＮＳ表示データとともに、該ＳＮＳ表示データに対して前記貼付け広告情報を、該ユーザーの端末装置に対して配信する広告データ配信手段とを備えたことを特徴とする。
【００１１】
また本発明は請求項１に記載の発明において、前記貼付け広告情報が、前記ＳＮＳ表示データの各ユーザー自身のページについての前記貼付け広告情報が、該ユーザーを特定するＩＤを含むことを特徴とする。
【００１２】
また本発明は請求項２に記載の発明において、前記広告データ配信手段による配信を受けたユーザーの端末装置にて、該配信された前記貼付け広告情報内の広告が選択されたとき、該貼付け広告情報内の前記ＩＤで特定されるユーザに対して広告料を支払うように広告料を算出する広告料算出手段をさらに備えたことを特徴とする。
【発明の効果】
【００１３】
本発明によれば、ソーシャル・ネットワーキング・サービスにおいて、ソーシャル・ネットワーキング・サービスに参加するユーザーによって広告を効率的に行うことができるソーシャル・ネットワーキング・サービス用広告システムを提供することができる。
【００１４】
すなわち、本発明によれば、各ユーザは「推薦する」ボタンを押すだけという簡単な操作で、ソーシャル・ネットワーキング・サービスにおけるユーザー自身のページに広告を貼ることができるので、非常に簡単にユーザーが導入でき、普及しやすいという効果を奏することができる。従来から知られている一般的なアフィリエイトの場合、アフィリエイトを行おうとするユーザーは、広告主から自分用のアドレスを入手したり、そのアドレスを自分でホームページに貼り付けたりなど専門知識や複雑な操作が必要となるものであった。これに対して本願発明によれば、ユーザーは「推薦する」ボタンを押すだけという簡単な操作を行うだけでよいので、操作性を向上することができる。
【００１５】
また、一般に口コミの効果が知られているように知り合い同士のほうが広告効果が高く、本発明によれば、ソーシャル・ネットワーキング・サービスにおけるユーザー自身のページに貼られた広告を見る人は、そのユーザーの知り合いであるため、効果の高い広告を行うことができる。
【発明を実施するための最良の形態】
【００１６】
以下、本発明による実施の形態について図面を参照して説明する。
【００１７】
図１は、本発明によるソーシャル・ネットワーキング・サービス用広告システムの一実施の形態の構成を示すブロック図である。
【００１８】
図１に示すように、本実施の形態のソーシャル・ネットワーキング・サービス用広告システムは、広告配信用サーバー１とソーシャル・ネットワーキング・サービス用サーバー２と端末装置３と端末装置４とをネットワーク５で接続して構成される。
【００１９】
広告配信用サーバー１では、広告主から配信を依頼された広告データ（たとえば、静止画や動画、音声などを含むバナー）が、後述の記憶手段１３に記憶され、この記憶手段１３内のデータを管理し、ソーシャル・ネットワーキング・サービス用サーバー２と連係し、ソーシャル・ネットワーキング・サービスを実現するソフトウェアプログラムが、後述の制御手段１１にて動作する。
【００２０】
また、ソーシャル・ネットワーキング・サービス用サーバー２では、複数のユーザーによって作り上げられた掲示板等のソーシャル・ネットワーキング・サービス（以下「ＳＮＳ」ともいう）自体が提供するＳＮＳ表示データや、そのＳＮＳ表示データの各ユーザー自身のページに表示する広告データが、どの広告データかの対応付けを示す貼付け広告情報が、後述の記憶手段２３に記憶され、この記憶手段２３内のデータを管理し、広告配信用サーバー１と連係し、ソーシャル・ネットワーキング・サービスを実現するソフトウェアプログラムが、後述の制御手段２１にて動作する。
【００２１】
端末装置３や端末装置４は、ユーザーが操作するたとえばパソコン等の装置であり、ソーシャル・ネットワーキング・サービス用サーバー２に対してデータ送信し、ソーシャル・ネットワーキング・サービス用サーバー２にからのデータを受信し、表示するブラウザ等の、ソーシャル・ネットワーキング・サービスを実現するアプリケーションプログラムが後述の記憶手段３３等に記憶され、このアプリケーションプログラムが制御手段３１等にて動作する。
【００２２】
なお、ネットワーク５は、たとえばイーサネット（登録商標）やトークンリング等のＬＡＮやそのほかイントラネット、インターネットなど、また有線、無線を問わず、また通信プロトコルも問わず、どのようなネットワークでもかまわない。ネットワーク５に接続された各装置のそれぞれには、予めネットワーク上のアドレスが設定されており、各装置はこのアドレスによって識別され、ネットワーク５に接続された他の装置との通信を行う。
【００２３】
図２は、図１に示した広告配信用サーバー１の構成を示すブロック図である。
【００２４】
広告配信用サーバー１は、広告配信用サーバー１全体の動作を制御するＣＰＵやＭＰＵなどの制御手段１１と、たとえばＳＮＳの運用担当者が広告配信用サーバー１に対する操作、指示等を入力したり、広告配信用サーバー１が運用担当者に対して様々な情報を表示したり出力する入出力手段１２と、広告配信用サーバー１の動作に必要なプログラムおよびパラメータ等のほか、上述の広告データなどを記憶する記憶手段１３と、図１に示したソーシャル・ネットワーキング・サービス用サーバー２とのインタフェースであるネットワーク接続手段１４とを有して構成される。
【００２５】
入出力手段１２としては、たとえば、入力のためにキーボードやマウス等が用いられ、出力のためにディスプレイ装置等が用いられる。他の装置から操作可能な構成においては入出力手段１２は必須構成ではない。
【００２６】
図３は、図１に示したソーシャル・ネットワーキング・サービス用サーバー２の構成を示すブロック図である。
【００２７】
ソーシャル・ネットワーキング・サービス用サーバー２は、ソーシャル・ネットワーキング・サービス用サーバー２全体の動作を制御するＣＰＵやＭＰＵなどの制御手段２１と、たとえばＳＮＳの運用担当者がソーシャル・ネットワーキング・サービス用サーバー２に対する操作、指示等を入力したり、ソーシャル・ネットワーキング・サービス用サーバー２が運用担当者に対して様々な情報を表示したり出力する入出力手段２２と、ソーシャル・ネットワーキング・サービス用サーバー２の動作に必要なプログラムおよびパラメータ等のほか、上述のＳＮＳ表示データや、貼付け広告情報などを記憶する記憶手段２３と、図１に示した広告配信用サーバー１とのインタフェースであるネットワーク接続手段２４と、図１に示したネットワーク５とのインタフェースであるネットワーク接続手段２５とを有して構成される。
【００２８】
入出力手段２２としては、たとえば、入力のためにキーボードやマウス等が用いられ、出力のためにディスプレイ装置等が用いられる。他の装置から操作可能な構成においては入出力手段２２は必須構成ではない。
【００２９】
広告配信用サーバー１とソーシャル・ネットワーキング・サービス用サーバー２との接続は、ネットワーク５と同様に、たとえばイーサネット（登録商標）やトークンリング等のＬＡＮやそのほかイントラネット、インターネットなど、また有線、無線を問わず、また通信プロトコルも問わず、どのようなネットワークで接続されてもよいし、バス接続されてもかまわない。
【００３０】
また、広告配信用サーバーおよびソーシャル・ネットワーキング・サービス用サーバーの機能を併せ持つ１台のサーバーを用いるようにしてもよい。
【００３１】
図４は、図１に示した端末装置３の構成を示すブロック図である。
【００３２】
図１に示した端末装置３および４は、本実施の形態に関わる基本構成は同様であるので、ここでは代表して端末装置３について説明する。
【００３３】
端末装置３は、端末装置３全体の動作を制御するＣＰＵやＭＰＵなどの制御手段３１と、ユーザーが端末装置３に対する操作、指示等を入力したり、端末装置３がユーザーに対して様々な情報を表示したり出力する入出力手段３２と、端末装置３の動作に必要なプログラムおよびパラメータ等のほか、ソーシャル・ネットワーキング・サービス用広告システムの端末装置側のソフトウェアプログラム（たとえばブラウザ）などを記憶する記憶手段３３と、図１に示したネットワーク５とのインタフェースであるネットワーク接続手段３４とを有して構成される。
【００３４】
入出力手段３２としては、たとえば、入力のためにキーボードやマウス等が用いられ、出力のためにディスプレイ装置等が用いられる。
【００３５】
次に、本実施の形態のソーシャル・ネットワーキング・サービス用広告システムの動作について説明する。
【００３６】
本実施の形態のソーシャル・ネットワーキング・サービス用広告システムによれば、ユーザーは、端末装置３および４を用いてソーシャル・ネットワーキング・サービス用サーバー２にアクセスし、ソーシャル・ネットワーキング・サービスの提供を受け、その際にユーザーに対する広告配信が行われる。
【００３７】
広告主は、予め広告配信用サーバー１の記憶手段１３に、広告データを記憶させておく。広告データはバナー広告（静止画、動画、音声等を含む）でもよいし、広告対象の商品についてのインターネット上のページであってもよい。
【００３８】
一方、ソーシャル・ネットワーキング・サービス用サーバー２の記憶手段２３には、貼付け広告情報（ＳＮＳ表示データの各ユーザー自身のページに表示する広告データが、記憶手段１３内の広告データのうちどの広告データかの対応付け）が登録されている。貼付け広告情報は広告データを含むものであってもよい。
【００３９】
貼付け広告情報としては、たとえば、広告主の商品のインターネット上のページのＵＲＬへのリンクを、ユーザー自身のページに埋め込むことによって実現される。
【００４０】
また、貼付け広告情報において、ユーザー自身のページに埋め込まれたＵＲＬに、そのユーザを特定するＩＤを付加することによって、商品ページの管理者は、そのページへのアクセス者が誰の推薦によるアクセスかを識別できるようになる。
【００４１】
図５は、図１に示したソーシャル・ネットワーキング・サービス用広告システムの動作を説明するブロック図であり、（ａ）はユーザーがユーザー自身のページに広告データを貼り付ける動作を説明する図であり、（ｂ）は広告データが貼り付けられたユーザーのページを別のユーザが閲覧する動作を説明する図であり、（ｃ）はユーザーが広告されたページを閲覧する動作を説明する図である。
【００４２】
本実施のソーシャル・ネットワーキング・サービス用広告システムでは、図５（ａ）に示すように、ユーザー６が、ソーシャル・ネットワーキング・サービスにおけるユーザー自身のページに広告データを貼り付ける操作を行う。
【００４３】
この操作は、たとえば自分が広告主の商品のページを閲覧し、その商品に好感を持ち友人に勧めたいと思ったときに、たとえばその商品のページに設けられた「推薦する」ボタンを押す。
【００４４】
この「推薦する」ボタンの押下を検出したソーシャル・ネットワーキング・サービス用サーバー２は、その商品の広告データを、広告配信用サーバー１の記憶手段１３から取得し、その広告データ（たとえばバナー広告のデータ）とともにその商品のページへのリンクを、そのユーザー自身のページに貼り付けるように、その対応付けを、記憶手段２３内の貼付け広告情報に登録する。広告する商品のページのリンクには、そのユーザーを特定できるＩＤも含まれている。
【００４５】
これが、ユーザーの端末装置からの、前記貼付け広告情報の登録の依頼を受け付け、前記記憶手段の前記貼付け広告情報を更新する貼付け広告情報更新手段である。
【００４６】
また、ユーザー自身のページに、推薦するすなわち広告する商品のページへのリンクを貼る際に、そのユーザーによる推薦文を入力し、これも記憶手段２３内の貼付け広告情報に登録するようにしてもよい。
【００４７】
続いて、本実施のソーシャル・ネットワーキング・サービス用広告システムでは、図５（ｂ）に示すように、ユーザー６のページを閲覧可能な別のユーザー７が、ユーザー６のページを閲覧する。
【００４８】
ソーシャル・ネットワーキング・サービス用サーバー２は、記憶手段２３のＳＮＳ表示データおよび貼付け広告情報を参照してユーザー６のページを形成する。このユーザー６のページには、ユーザー６が推薦する商品のバナー広告およびユーザー６による推薦文が表示される。
【００４９】
ユーザー７は、このユーザー６のページを閲覧し、ユーザー６による推薦文等を参照し、商品のバナー広告をマウスクリックするなどの選択操作をする。
【００５０】
このバナー広告は、広告主の商品のページにリンクされており、マウスクリックなどの選択操作によって、その商品のページへとジャンプして、端末装置３にてそのページを表示する（図５（ｃ）参照）。
【００５１】
上述のように、広告する商品のページのリンクには、ユーザー６を特定できるＩＤが含まれているため、広告主は、今回、ユーザー７が商品ページを訪問したのは、ユーザー６による広告を経由してきたものであることがわかる。
【００５２】
広告主は、ユーザー７が商品ページを訪問した時点で、その回数に応じてユーザー６に対して所定の広告料を支払うようにしてもよいし、ユーザー７が商品ページを訪問し商品購入をした時点で、その回数に応じてユーザー６に対して所定の広告料を支払うようにしてもよい。この回数は、たとえば広告配信用サーバー１の記憶手段１３にカウントして記憶しておけばよい。
【図面の簡単な説明】
【００５３】
【図１】本発明によるソーシャル・ネットワーキング・サービス用広告システムの一実施の形態の構成を示すブロック図である。
【図２】図１に示した広告配信用サーバー１の構成を示すブロック図である。
【図３】図１に示したソーシャル・ネットワーキング・サービス用サーバー２の構成を示すブロック図である。
【図４】図１に示した端末装置３の構成を示すブロック図である。
【図５】図１に示したソーシャル・ネットワーキング・サービス用広告システムの動作を説明するブロック図であり、（ａ）はユーザーがユーザー自身のページに広告データを貼り付ける動作を説明する図であり、（ｂ）は広告データが貼り付けられたユーザーのページを別のユーザが閲覧する動作を説明する図であり、（ｃ）はユーザーが広告されたページを閲覧する動作を説明する図である。
【符号の説明】
【００５４】
１  広告配信用サーバー
２  ソーシャル・ネットワーキング・サービス用サーバー
３  端末装置
４  端末装置
５  ネットワーク
６、７  ユーザー
１１  制御手段
１２  入出力手段
１３  記憶手段
１４  ネットワーク接続手段
２１  制御手段
２２  入出力手段
２３  記憶手段
２４  ネットワーク接続手段
２５  ネットワーク接続手段
３１  制御手段
３２  入出力手段
３３  記憶手段
３４  ネットワーク接続手段
【図１】
2008158924.tif 000003
【図２】
2008158924.tif 000004
【図３】
2008158924.tif 000005
【図４】
2008158924.tif 000006
【図５】
2008158924.tif 000007